(57)【要約】【課題】家具等の転倒から就寝者を保護できる下敷防止用救命具を提案すること。【解決手段】下敷防止用救命具１は、逆Ｕ字形状の上下に重ねた第１および第２の保護フレーム２、３を有しており、これらを連結しているボルト５を中心として、ストッパ７に当たるまで、これらの保護フレーム２、３を左右にＸ状に開き、第３の保護フレーム４をストッパ７に直交する向きとなるまで旋回し、この状態でナット６を締めて三部材を固定する。この結果、下敷防止用救命具１を自立させることができ、この下側には就寝者保護空間９が形成される。地震が発生して家具１０等が転倒しても、その下敷きになることを防止できる。第１〜第３の保護フレーム２、３、４を閉じると収納スペースが少なくて済み、持ち運びにも便利である。【選択図】図１
0003111453.tif 000002
【実用新案登録請求の範囲】
【請求項１】
地震などによって転倒する家具などの転倒物から就寝者などを保護するための下敷防止用救命具であって、
上下に重ねられ、長さ方向の中心位置を旋回中心として左右に開閉可能な第１および第２の保護フレームを有し、
これら第１および第２の保護フレームは、両端部分が下方に折り曲げられた逆Ｕ字形状をしており、
これら第１および第２の保護フレームを左右方向に所定の角度となるようにＸ状に開き、床面などに自立させることにより、これらの下側に就寝者などの保護空間が形成されるようになっていることを特徴とする下敷防止用救命具。
【請求項２】
請求項１において、
前記第１および第２の保護フレームは、下側に位置する第２の保護フレームが一回り小さな大きさの相似形状のものであり、
これらの保護フレームを閉じると、前記第１の保護フレームの内側に前記第２の保護フレームが重なった状態になることを特徴とする下敷防止用救命具。
【請求項３】
請求項２において、
重なった状態から左右に開いた前記第１および第２の保護フレームが再び重なる位置まで旋回することを防止すると共に、これらの保護フレームの開き角度を規定するためのストッパを有していることを特徴とする下敷防止用救命具。
【請求項４】
請求項１ないし３のうちのいずれかの項において、
前記第１および第２の保護フレームの旋回中心を中心として左右に旋回可能な第３の保護フレームを有しており、
この第３の保護フレームはＬ形に折り曲げられた形状をしており、
これら第１ないし３の保護フレームを閉じると、前記第１および第２の保護フレームの上、下あるいは間に、前記第３の保護フレームが重なった状態になることを特徴とする下敷防止用救命具。
【請求項５】
請求項１ないし４のうちのいずれかの項において、
前記第１および第２の保護フレームを所定の開き角度の状態で連結固定するための連結部を有していることを特徴とする下敷防止用救命具。
【請求項６】
請求項１ないし５のうちのいずれかの項において、
所定の角度でＸ状に開いた前記第１および第２の保護フレームの間に架け渡すための天板を有していることを特徴とする下敷防止救命具。
【考案の詳細な説明】
【技術分野】
【０００１】
本考案は、地震などによって転倒する家具などの転倒物の下敷とならないように、就寝者などを保護するための下敷防止用救命具に関するものである。
【背景技術】
【０００２】
地震などの際に家具が転倒して就寝者がその下敷きになるおそれがある。家具の転倒を防止するために、従来においては、特許文献１などに開示されている家具転倒防止器具が提案されている。この特許文献１に記載の家具転倒防止器具は天井と家具の間に配置される伸縮自在な支柱を備えており、家具の揺れを防止してその転倒を未然に防ぐようにしている。
【特許文献１】特開平９−８４６４８号公報
【考案の開示】
【考案が解決しようとする課題】
【０００３】
しかしながら、天井と家具の間に配置した支柱によって家具を固定する方法では、大きな地震の場合には、支柱に大きな力が作用して、支柱が折れ、あるいは、支柱が天井を突き破るおそれがある。したがって、家具の転倒を確実に防止できず、人がその下敷になる危険性が依然として高い。
【０００４】
本考案の課題は、家具などの転倒物から就寝者を確実に保護することのできる下敷防止用救命具を提案することにある。
【課題を解決するための手段】
【０００５】
上記の課題を解決するために、本考案は、地震などによって転倒する家具などの転倒物から就寝者などを保護するための下敷防止用救命具であって、上下に重ねられ、長さ方向の中心位置を旋回中心として左右に開閉可能な第１および第２の保護フレームを有し、これら第１および第２の保護フレームは、両端部分が下方に折り曲げられた逆Ｕ字形状をしており、これら第１および第２の保護フレームを左右方向に所定の角度となるようにＸ状に開き、床面などに自立させることにより、これらの下側に就寝者などの保護空間が形成されるようになっていることを特徴としている。
【０００６】
ここで、前記第１および第２の保護フレームを同一形状のものとし、下側に位置する第２の保護フレームを、フレーム厚さ分だけ低い高さにすればよい。また、収納性を改善するためには、前記第１および第２の保護フレームを、下側に位置する第２の保護フレームが一回り小さな相似形状のものとし、これらの保護フレームを閉じると、前記第１の保護フレームの内側に前記第２の保護フレームが重なった状態にできるようにすればよい。
【０００７】
また、重なった状態から左右に開いた前記第１および第２の保護フレームが再び重なる位置まで旋回してしまうと、自立させることができない。そこで、これらの保護フレームが旋回し過ぎないように、また、これらの保護フレームの開き角度を規定するために、ストッパを配置しておくことが望ましい。
【０００８】
さらに、自立している第１および第２の保護フレームが倒れることを確実に防止できるようにするためには、前記第１および第２の保護フレームの旋回中心を中心として左右に旋回可能な第３の保護フレームを配置することが望ましい。この第３の保護フレームをＬ形に折り曲げられた形状とし、これら第１ないし３の保護フレームを閉じると、前記第１および第２の保護フレームの上、下あるいは間に、前記第３の保護フレームを重ねることができるようにすれば、収納時などにおいて場所を取らないので好ましい。
【０００９】
次に、前記第１および第２の保護フレームを所定の開き角度の状態で連結固定するための連結部を有していることが望ましい。
【００１０】
なお、所定の角度でＸ状に開いた第１および第２の保護フレームの間を通って、就寝者などに落下物が当たることを防止するためには、これらの保護フレームの間に天板を架け渡すようにしてもよい。
【考案の効果】
【００１１】
本考案の下敷防止用救命具では、２本の保護フレームをＸ状となるように左右に開くと、床面などに自立させることができ、その下側に就寝者などの保護空間が形成される。したがって、就寝時などにおいて、布団の上方に位置するように下敷防止用救命具を配置しておけば、家具などが転倒しても就寝者がその下敷になることを防止できる。また、人体の周りに脱出用あるいは救出用の空間が確保される。過去の大地震における死者のほとんどが転倒物、倒壊家屋の下敷きによる圧死であることに鑑みると、本考案による下敷防止用救命具は極めて有効である。
【考案を実施するための最良の形態】
【００１２】
以下に、図面を参照して、本考案を適用した下敷防止用救命具を説明する。
【００１３】
図１は、本例の下敷防止用救命具の使用状態を示す説明図である。図２(ａ)、(ｂ)は、図１に示す下敷防止用救命具の斜視図および正面図である。図３(ａ)、(ｂ)は、図１に示す下敷防止用救命具の平面図、および収納状態での平面図である。
【００１４】
これらの図に示すように、本例の下敷防止用救命具１は、地震などによって転倒する家具などの転倒物１０から就寝者Ｐを保護するためのものであり、第１の保護フレーム２と、第２の保護フレーム３と、第３の保護フレーム４と、これらを連結している連結部材としてのボルト５とナット６とを有している。また、第１および第２の保護フレーム２、３の開き角度を規制するためのストッパ７を有している。これら第１〜第３の保護フレームおよびストッパ７は、ステンレススチール、アルミニウムなどの金属板、金属パイプなどから形成されており、転倒物１０の重量に十分に耐えられるようになっている。本例では、図３(ａ)に示すように扁平な金属パイプ製のものを用いている。
【００１５】
第１の保護フレーム２は両端部分が下方に直角に折り曲げられた逆Ｕ字形状をしたフレームであり、左右の脚部２１、２２と、これら脚部２１、２２の上端を繋いでいる水平な梁部２３とを備えている。第２の保護フレーム３は、第１の保護フレーム２よりも一回り小さな相似形状のものであり、左右の脚部３１、３２と、これら脚部３１、３２の上端を繋いでいる水平な梁部３３とを備えている。第１および第２の保護フレーム２、３は、上下に重ねられ、それらの梁部２３、３３の中心部分に形成した円形の貫通孔２３ａ、３３ａに垂直に差し通されたボルト５とナット６によって、左右に開閉可能な状態で連結されている。
【００１６】
第３の保護フレーム４は全体としてＬ形をしたフレームであり、脚部４１と、この脚部４１の上端から略水平方向に延びる連結部４２とを備えている。連結部４２には円形の貫通孔４２ａが形成されており、ここに通したボルト５を中心として、第２の保護フレーム３の下側に開閉可能な状態で連結されている。収納時などにおいては、第３の保護フレーム４は、第１、２の保護フレーム２、３に重ねた状態とされる。
【００１７】
なお、本例では、貫通孔４２ａとして、連結部４２の長さ方向に沿って複数個の貫通孔が形成されている。ボルト５を差し通す貫通孔４２ａの位置を適宜に選択することにより、脚部４１を外側に張り出す長さを変更できるようになっている。また、ナット６として、蝶ナットを用いており、ナット６を緩めると、各保護フレーム２、３、４を、ボルト５を中心として左右に開閉することができ、ナット６を締め付けることにより、これらを閉じ状態あるいは所定の角度に開いた状態に固定できる。
【００１８】
ここで、製造コストを低減するためには、第１および第２の保護フレーム２、３は共通のもの、すなわち、同一形状のものとし、下側の第２の保護フレーム３の両脚をフレーム厚さ分だけ短くすればよい。この場合には、例えば、第１および第２の保護フレーム２、３を次の寸法とすることができる。
第１の保護フレーム２
幅2100mm、高さ680mm
第２の保護フレーム３
幅2100mm、高さ700mm
【００１９】
また、第３の保護フレーム４として、幅が1050mm、高さが660mmで、100mmピッチで形成された３個の貫通孔４２が形成されたものを用いることができる。
【００２０】
次に、ストッパ７は一定幅の板であり、その一端がボルト５に対して旋回可能に連結され、他方の端部が下方に直角に折れ曲がったＬ形をしており、折れ曲がり部分７ａが第１および第２の保護フレーム２、３の間に位置している。第１および第２の保護フレーム２、３を上下に重なった状態、あるいは閉じた状態から左右に開いていくと、これらの間に位置しているストッパ７の折れ曲がり部分７ａに当たり、それらの開き角度が規定される。したがって、第１および第２の保護フレーム２、３がこれ以上開いて、再び重なった状態あるいは閉じた状態になってしまうことがない。よって、ボルト５およびナット６で連結固定されている第１および第２の保護フレーム２、３が、転倒物１０が転倒した際の衝撃等により閉じて倒れてしまうことがない。また、双方の保護フレーム２、３をストッパ７に当たるまで開き、その状態で固定することにより、双方の保護フレーム２、３を適切な開き角度状態で固定することができる。
【００２１】
このように構成した下敷防止用救命具１は、収納状態においては、図３(ｂ)に示すように、第１ないし第３の保護フレーム２、３、４が上下に重なった状態に閉じられている。第１および第２の保護フレーム２、３が高さの異なる同一形状の場合には、これらの脚が相互に当接した閉じ状態とされる。使用時には、図２(ａ)、(ｂ)および図３(ａ)に示すように、第１および第２の保護フレーム２、３を連結部分を中心に旋回させて、ストッパ７に当たる位置まで開く。次に、第３の保護フレーム４をストッパ７に直交する向きとなるまで旋回する。そして、ナット６を締めて、これら第１ないし第３の保護フレーム２、３、４を固定する。
【００２２】
この後は、図１に示すように、４本の脚部２１、２２、３１、３２およびＸ字状にクロスしている梁部２３、３３によって形成される空間９の中に就寝者Ｐを収容するように、下敷防止用救命具１を位置決めする。ここで、第３の保護フレーム４を転倒物１０の側に向けて設置することが望ましい。このようにすると、地震などによって転倒した転倒物１０から就寝者Ｐを確実に保護することができる。
【００２３】
以上説明したように、本例の下敷防止用救命具１は、２本の保護フレーム２、３を所定角度となるようにＸ状に開くことにより、任意の場所において自立状態に設置して、その下側に保護空間を形成できる。よって、就寝者Ｐを収容可能な保護空間９を任意の場所において簡単な操作により形成できる。
【００２４】
下敷防止用救命具１によって保護すれば、地震が発生して家具等の転倒物１０が転倒しても、就寝者などがその下敷きになることを防止できる。また、人体の周りに脱出用あるいは救出用の空間を確保できるので、避難も容易である。さらに、第３の保護フレーム４を備えているので、下敷防止用救命具１が倒れることもなく、確実に就寝者などを保護することができる。
【００２５】
これに加えて、収納時には、第１ないし第３の保護フレームを、上下に重なった状態、あるいは、双方のフレームが側方から相互に当接した閉じ状態にできる。よって、収納スペースが少なくて済み、また、持ち運びにも便利である。
【００２６】
さらには、ストッパ７が備わっているので、第１および第２の保護フレーム２、３を適切な開き角度の状態で固定することができるので、操作性にも優れている。
【００２７】
［その他の実施の形態］
なお、上記の例では、第１および第２の保護フレーム２、３を逆Ｕ字形状としてあるが、これを円弧形状のものとすることもできる。または多角形状に折り曲げたものとすることもできる。さらに、第３の保護フレーム４を第１、２の保護フレーム２、３と同様な形状とすることも可能である。さらには、ストッパ７としては、第１あるいは第２の保護フレームの側面に取り付けた構成のものとすることも可能である。
【００２８】
次に、地震の際に家具等から落下する落下物から就寝者を保護するために、Ｘ状に交差している第１および第２の保護フレーム２、３の間に、天板を掛け渡した状態に取り付けることも可能である。天板は、落下物の衝撃に耐えられるように金属製で、複数の通気孔が形成されていることが望ましい。この場合には、下敷防止用救命具１を使用しない場合には、天板を例えば、観葉植物等の置台として転用することもできる。
【００２９】
図４には、下敷防止用救命具１を置台として転用した場合の図を示してある。この図に示すように、第１の保護フレーム２の梁部２３に上側に開口する係合穴２３ｂを形成し、第２の保護フレーム３の梁部３３に側方に開口する係合穴３３ｂを形成する。天板１１には、係合穴２３ｂおよび３３ｂに嵌め込む係合突起１１ｂを形成しておく。第１および第２の保護フレーム２、３を閉じた収納状態の下敷防止用救命具１に天板１１を取り付けることにより、置台を構成できる。
【図面の簡単な説明】
【００３０】
【図１】本考案を適用した下敷防止用救命具の使用状態を示す説明図である。
【図２】(ａ)、(ｂ)は、図１に示す下敷防止用救命具の斜視図、および正面図である。
【図３】(ａ)、(ｂ)は、図１に示す下敷防止用救命具の平面図、および収納状態での平面図である。
【図４】本考案の下敷防止救命具を置台に転用した場合の説明図である。
【符号の説明】
【００３１】
１  下敷防止救命具
２  第１の保護フレーム
２１、２２  脚部
２３  梁部
２３ａ  貫通孔
３  第２の保護フレーム
３１、３２  脚部
３３  梁部
３３ａ  貫通孔
４  第３の保護フレーム
４１  脚部
４２  連結部
４２ａ  貫通孔
５  ボルト
６  ナット
７  ストッパ
７ａ  折り曲げ部分
９  空間
１０  転倒物
１１  天板
Ｐ  就寝者
【図１】
0003111453.tif 000003
【図２】
0003111453.tif 000004
【図３】
0003111453.tif 000005
【図４】
0003111453.tif 000006